(57)【要約】【課題】  簡易な操作で通信機器との通信を確立することができる放射線撮影装置を提供する。【解決手段】  本発明の放射線撮影装置は、放射線を検出して放射線画像を撮影する放射線撮影装置であって、第１の通信方式により通信機器と通信可能な第１の通信手段と、第２の通信方式により前記通信機器と通信可能な第２の通信手段と、を備え、前記第１の通信手段は、前記第２の通信方式による前記通信機器との通信を要求する通信要求信号を受信し、前記第２の通信手段は、前記通信要求信号に従って、前記第２の通信方式による前記通信機器との通信を確立する。【選択図】図２
2018064650.tif 000002
【特許請求の範囲】
【請求項１】
放射線を検出して放射線画像を撮影する放射線撮影装置であって、
第１の通信方式により通信機器と通信可能な第１の通信手段と、
第２の通信方式により前記通信機器と通信可能な第２の通信手段と、を備え、
前記第１の通信手段は、前記第２の通信方式による前記通信機器との通信を要求する通信要求信号を受信し、
前記第２の通信手段は、前記通信要求信号に従って、前記第２の通信方式による前記通信機器との通信を確立することを特徴とする放射線撮影装置。
【請求項２】
前記第１の通信手段は、前記通信要求信号を受信した後、前記第２の通信方式による前記通信機器との通信の待機状態であることを示す待機状態信号を、前記通信機器に送信し、
前記第２の通信手段は、前記待機状態信号を受信した前記通信機器から、前記第２の通信方式による通信を確立する通信確立信号を受信することにより、前記第２の通信方式による前記通信機器との通信を確立することを特徴とする請求項１に記載の放射線撮影装置。
【請求項３】
前記第１の通信手段は、複数の通信機器と通信可能な状態で前記通信機器と通信し、
前記第２の通信手段は、前記通信機器と排他的に通信を確立することを特徴とする請求項１又は２に記載の放射線撮影装置。
【請求項４】
所定の通信方式の第１のアクセスポイントを介して前記通信機器と通信可能な通信手段と、
前記通信方式の第２のアクセスポイントと、を備え、
前記通信手段は、
前記第１のアクセスポイントから前記第２のアクセスポイントに切り替える切替信号を受信した後、前記第２のアクセスポイントを介して前記通信機器との通信を確立することを特徴とする放射線撮影装置。
【請求項５】
前記通信手段は、前記第２のアクセスポイントから切り替えられた前記第１のアクセスポイントを介して、画像データを送信することを特徴とする請求項４に記載の放射線撮影装置。
【請求項６】
放射線を検出して放射線画像を撮影する放射線撮影装置と、前記放射線撮影装置と通信可能な携帯情報端末と、を備える放射線撮影システムであって、
前記放射線撮影装置は、
第１の通信方式により前記携帯情報端末と通信可能な第１の通信手段と、
第２の通信方式により前記携帯情報端末と通信可能な第２の通信手段と、を備え、
前記第１の通信手段は、前記第２の通信方式による前記携帯情報端末との通信を要求する通信要求信号を受信し、
前記第２の通信手段は、前記通信要求信号に従って、前記第２の通信方式による前記携帯情報端末との通信を確立することを特徴とする放射線撮影システム。
【請求項７】
前記携帯情報端末は、
前記第１の通信方式により前記携帯情報端末と通信可能な前記放射線撮影装置を選択し、
選択された前記放射線撮影装置の前記第１の通信手段に前記通信要求信号を送信し、
選択された前記放射線撮影装置の前記第２の通信手段に、前記第２の通信方式による通信を確立する通信確立信号を送信することにより、前記第２の通信方式による前記放射線撮影装置との通信を確立することを特徴とする請求項６に記載の放射線撮影システム。
【請求項８】
前記第１の通信方式により前記放射線撮影装置及び前記携帯情報端末と通信可能な管理装置を備え、
前記管理装置は、前記第１の通信方式により前記携帯情報端末と通信可能な前記放射線撮影装置に関する情報を、前記携帯情報端末に送信することを特徴とする請求項６又は７に記載の放射線撮影システム。
【請求項９】
前記管理装置は、前記放射線撮影装置を識別する識別情報、前記放射線撮影装置のセンサーサイズに関するセンサーサイズ情報、前記放射線撮影装置の前記第１の通信方式による通信状態に関する第１の通信情報、前記放射線撮影装置の前記第２の通信方式による通信状態に関する第２の通信情報、前記放射線撮影装置のバッテリーに関するバッテリー情報、前記放射線撮影装置の電源状態に関する電源情報、前記放射線撮影装置の利用者に関する利用者情報、前記放射線撮影装置の稼働状態に関する稼働情報、前記放射線撮影装置の利用予約に関する予約情報、前記放射線撮影装置が備えている機能に関する機能情報、及び前記放射線撮影装置が撮影する部位に関する検査部位情報の少なくとも１つを、前記放射線撮影装置の撮影装置情報として前記携帯情報端末に送信し、
前記携帯情報端末は、前記撮影装置情報に基づいて、前記放射線撮影装置を選択することを特徴とする請求項７に記載の放射線撮影システム。
【請求項１０】
前記管理装置は、前記撮影装置情報を特定する特定情報と一致する前記放射線撮影装置の前記撮影装置情報を前記携帯情報端末に送信することを特徴とする請求項９に記載の放射線撮影システム。
【請求項１１】
前記携帯情報端末は、
前記放射線撮影装置による検査オーダーを識別する検査オーダー情報、被検者を識別する被検者情報、撮影手技を識別する撮影手技情報、撮影部位を識別する撮影部位情報、撮影方向を識別する撮影方向情報、及び被検者の姿勢を識別する姿勢情報の少なくとも１つを、検査情報として選択し、
前記検査情報に関連付けられた前記特定情報に基づいて、前記特定情報と一致する前記放射線撮影装置の前記撮影装置情報を前記管理装置から受信することを特徴とする請求項１０に記載の放射線撮影システム。
【請求項１２】
前記携帯情報端末は、前記電源情報に基づいて、電源が投入されていない前記放射線撮影装置に、電源を投入するための電源投入信号を送信することを特徴とする請求項９に記載の放射線撮影システム。
【請求項１３】
前記携帯情報端末は、前記機能情報に基づいて、遠隔電源投入機能を備えていない前記放射線撮影装置を選択する場合に、電源の投入を指示する通知を表示することを特徴とする請求項９に記載の放射線撮影システム。
【請求項１４】
放射線撮影装置と、前記放射線撮影装置と通信可能な携帯情報端末と、を備える放射線撮影システムであって、
前記放射線撮影装置は、
所定の通信方式の第１のアクセスポイントを介して前記携帯情報端末と通信可能な通信手段と、
前記通信方式の第２のアクセスポイントと、を備え、
前記携帯情報端末は、
前記第１のアクセスポイントから前記第２のアクセスポイントに切り替える切替信号を前記放射線撮影装置に送信し、
前記第１のアクセスポイントから前記第２のアクセスポイントに切り替えたことを示す切替完了信号を前記放射線撮影装置から受信した後、前記第２のアクセスポイントを介して前記放射線撮影装置との通信を確立することを特徴とする放射線撮影システム。
【請求項１５】
前記携帯情報端末は、
前記第１のアクセスポイントの接続情報を保持し、
前記第２のアクセスポイントから前記第１のアクセスポイントに切り替える切替信号を前記放射線撮影装置に送信した後、前記接続情報に基づいて、前記第１のアクセスポイントを介して前記放射線撮影装置との通信を確立することを特徴とする請求項１４に記載の放射線撮影システム。
【請求項１６】
第１の通信方式により通信機器と通信可能な第１の通信手段が、第２の通信方式による前記通信機器との通信を要求する通信要求信号を受信する工程と、
前記第２の通信方式により前記通信機器と通信可能な第２の通信手段が、前記通信要求信号に従って、前記第２の通信方式による前記通信機器との通信を確立する工程と、
を備えることを特徴とする放射線撮影方法。
【請求項１７】
コンピュータを請求項１乃至５の何れか１項に記載の放射線撮影装置の各手段として機能させるためのプログラム。
【発明の詳細な説明】
【技術分野】
【０００１】
本発明は、放射線撮影装置、放射線撮影システム、放射線撮影方法、及びプログラムに関する。
【背景技術】
【０００２】
近年病院では、回診車が可搬型のデジタル放射線撮影装置（センサーパネル）を搭載して患者の病室に移動し、病室で患者の放射線撮影を行う運用が行われている。
【０００３】
従来、このような回診撮影は、センサーパネルを制御するためにコンソールＰＣを回診車とともに持ち運びながら行われていた。一般的に、コンソールＰＣは、いわゆるクラムシェル型のノートＰＣや回診車に組み込まれたＰＣであった。一方、タブレット型の携帯情報端末が普及し、その携帯性や起動スピードや価格面などの優位性から医療現場においてもタブレット型の携帯情報端末が導入されつつあり、回診撮影においても携帯情報端末を用いたシステムが提案されている（特許文献１、特許文献２参照）。
【先行技術文献】
【特許文献】
【０００４】
【特許文献１】特開２０１６−３４４７０号公報
【特許文献２】特開２０１６−１０１２１０号公報
【発明の概要】
【発明が解決しようとする課題】
【０００５】
携帯情報端末を利用して撮影制御を行うためには、携帯情報端末と放射線撮影装置が通信する必要がある。今日普及している携帯情報端末には、通信インターフェイスとしてＢｌｕｅｔｏｏｔｈ（登録商標）が備えられているものが多く、この通信インターフェイスを利用して携帯情報端末と放射線撮影装置との間で通信を行う。
【０００６】
Ｂｌｕｅｔｏｏｔｈを利用する場合、デバイスを通信可能にするためにはペアリングと呼ばれる接続確立手順が必要となる。
【０００７】
従来のペアリングでは、通信が未だ確立していない２つのデバイスを相互に認識する必要があるため、２つのデバイスを操作する必要があった。具体的には、一方のデバイスを操作することによりペアリング待機状態としておき、他方のデバイスを操作することによりペアリング待機状態のデバイスに通信を確立する通信確立信号を送信することによって接続を確立するが必要であった。
【０００８】
このように、通信を確立しようとする２つのデバイスでの操作が必要となるため、操作が煩雑となるという課題があった。
【課題を解決するための手段】
【０００９】
この課題を解決するため、本発明の放射線撮影装置は、放射線を検出して放射線画像を撮影する放射線撮影装置であって、第１の通信方式により通信機器と通信可能な第１の通信手段と、第２の通信方式により前記通信機器と通信可能な第２の通信手段と、を備え、前記第１の通信手段は、前記第２の通信方式による前記通信機器との通信を要求する通信要求信号を受信し、前記第２の通信手段は、前記通信要求信号に従って、前記第２の通信方式による前記通信機器との通信を確立する。
【発明の効果】
【００１０】
本発明の放射線撮影装置は、通信が確立している第１の通信手段から通信要求信号を受信することで、待機状態になることができるため、放射線撮影装置を操作する必要がなくなり、簡易な操作で第２の通信方式による通信機器との通信を確立することができる。
【図面の簡単な説明】
【００１１】
【図１】本発明の第１の実施形態に係るネットワーク構成図である。
【図２】本発明の第１の実施形態に係るハードウェア構成図である。
【図３】本発明の第１の実施形態に係る機能構成図である。
【図４】本発明の第１の実施形態に係るフローチャートである。
【図５】本発明の第１の実施形態に係るＧＵＩの一例である。
【図６】本発明の第２の実施形態に係るフローチャートである。
【図７】本発明の第２の実施形態に係る遠隔電源投入のＧＵＩの一例である。
【図８】本発明の第２の実施形態に係る手動電源投入のＧＵＩの一例である。
【図９】（ａ）本発明の第３の実施形態に係るセンサーサイズと撮影プロトコルの対応テーブルの一例である。（ｂ）本発明の第３の実施形態に係るセンサーサイズとペアリング状態の対応テーブルの一例である。
【図１０】（ａ）本発明の第４の実施形態に係る第１のアクセスポイントを介して通信を行うハードウェア構成の簡略図である。（ｂ）本発明の第４の実施形態に係る第２のアクセスポイントを介して通信を行うハードウェア構成の簡略図である。
【図１１】本発明の第４の実施形態に係るフローチャートである。
【発明を実施するための形態】
【００１２】
（第１の実施形態）
以下、添付図面を参照して本発明の実施形態を説明する。なお、以下の実施形態は特許請求の範囲に係る発明を限定するものでない。また、本実施形態で説明されている特徴の組み合わせの全てが発明の解決手段に必須のものとは限らない。
【００１３】
図１は、本実施形態に係る放射線撮影システム構成例を示す図である。図１に示すように、放射線撮影システムは、放射線撮影装置２００、携帯情報端末２１０、管理サーバー２２０を備え、それぞれがアクセスポイント１０３及びローカルエリアネットワーク（ＬＡＮ）１０４を介して、第１の通信方式で相互に接続される。放射線撮影装置２００は、放射線を検出して放射線画像を撮影する装置である。
【００１４】
また、放射線撮影装置２００及び携帯情報端末２１０は、アクセスポイント１０３及びＬＡＮ１０４を介さずに、第２の通信方式で通信するためのインターフェイスを備え、相互に通信可能である。放射線撮影装置２００と携帯情報端末２１０との間で通信するための第２の通信方式としては、代表的な規格としては、Ｂｌｕｅｔｏｏｔｈなどが挙げられる。ただし、放射線撮影装置２００と携帯情報端末２１０が直接又は間接に通信可能であれば、公知の通信方式が適用可能である。
【００１５】
次に、放射線撮影システムのハードウェア構成例について図２を用いて説明する。本実施形態の放射線撮影装置２００は、センサー部２００１、読出制御部２００２、ＣＰＵ２００３、画像処理部２００４、不揮発性記憶装置２００５、ＲＡＭ２００６、ＲＯＭ２００７、ＩＦ（第１の通信部）２００８、及びＩＦ（第２の通信部）２００９を備え、これらはシステムバス２０１０を介して相互に接続されている。
【００１６】
センサー部２００１は、被検体（不図示）を透過した放射線を検出し、電気信号に変換する。読出制御部２００２は、変換された電気信号を読み出し画像データとしてＲＡＭ２００６又はハードディスクなどの不揮発性記憶装置２００５に保存する。ＣＰＵ２００３は、これら一連の撮影処理及び画像転送処理などの放射線撮影装置２００の処理全般を制御する機能を有する。画像処理部２００４は、撮影して得られた画像データの補正処理などを含む画像データを加工する機能を有する。ＲＯＭ２００７は読み取り専用のプログラムなどが記録される。
【００１７】
ＩＦ（第１の通信部）２００８は、携帯情報端末２１０及び管理サーバー２２０と通信するためのインターフェイスであり、一般的にはイーサネット（登録商標）や無線ＬＡＮなどの通信インターフェイスにより実現される。ＩＦ（第１の通信部）２００８は、第１の通信方式（イーサネットや無線ＬＡＮなど）により携帯情報端末（通信機器）２１０と通信可能である。
【００１８】
また、ＩＦ２００８は、複数の通信機器と通信可能な状態で携帯情報端末２１０と通信する。また、ＩＦ２００８は、アクセスポイント１０３を介して、携帯情報端末２１０と通信する。放射線撮影装置２００で撮影された画像データは、ＩＦ２００８を介して管理サーバー２２０に転送される。
【００１９】
ＩＦ（第２の通信部）２００９は、携帯情報端末２１０と直接通信するためのインターフェイスであり、Ｂｌｕｅｔｏｏｔｈなどの通信インターフェイスにより実現され、主に携帯情報端末２１０から放射線撮影装置２００の撮影制御を行うために利用される。ＩＦ（第２の通信部）２００９は、第２の通信方式（Ｂｌｕｅｔｏｏｔｈや赤外線通信など）により携帯情報端末（通信機器）２１０と通信可能である。
【００２０】
ＩＦ２００９は、携帯情報端末２１０と排他的に通信を確立する。また、ＩＦ２００９は、第１の通信方式より通信距離が短い第２の通信方式により携帯情報端末２１０と通信を確立する。また、ＩＦ２００９は、携帯情報端末２１０とアクセスポイントなしで直接通信を確立する。
【００２１】
携帯情報端末２１０は、一般的にはタブレットやスマートフォンと呼ばれる装置である。携帯情報端末２１０は、表示部２１０１、操作部２１０２、ＤＩＳＫ/ＩＦ２１０３、ＲＯＭ２１０４、不揮発性記憶装置２１０５、ＲＡＭ２１０６、ＣＰＵ２１０７、ＩＦ（第１の通信部）２１０８、及びＩＦ（第２の通信部）２１０９を備える。これらの構成要素は、システムバス２１１０を介して相互に接続されており、一般的なコンピュータの構成を有する。
【００２２】
本実施形態では、表示部２１０１及び操作部２１０２は、データ表示や入力操作の受付機能を備えた液晶タッチパネルにより実現されるが、データ表示や入力操作の受付機能を備えていれば、他の技術が適用可能である。ＩＦ（第１の通信部）２１０８は、放射線撮影装置２００のＩＦ２００８と通信するためのインターフェイスであり、イーサネットや無線ＬＡＮなどの通信インターフェイスにより実現される。ＩＦ（第２の通信部）２１０９は、放射線撮影装置２００のＩＦ２００９と通信するためのインターフェイスであり、Ｂｌｕｅｔｏｏｔｈなどの通信規格で実現されることが望ましい。
【００２３】
管理サーバー２２０は、ワークステーションやノートＰＣなどの情報処理機器であり、表示部２２０１、操作部２２０２、ＤＩＳＫ／ＩＦ２２０３、ＲＯＭ２２０４、不揮発性記憶装置２２０５、ＲＡＭ２２０６、ＣＰＵ２２０７、及びＩＦ（第１の通信部）２２０８を備る。これらの構成要素は、システムバス２２０９を介して相互に電気的に接続されており、一般的なコンピュータの構成を有する。管理サーバー（管理装置）２２０は、第１の通信方式により放射線撮影装置２００及び携帯情報端末２１０と通信可能である。
【００２４】
ＩＦ（第１の通信部）２２０８は、放射線撮影装置２００及び携帯情報端末２１０と相互に通信できる通信インターフェイスであり、一般的にイーサネットや無線ＬＡＮといった通信規格で実現されることが望ましい。
【００２５】
表示部２２０１は、必ずしも装置として一体でなくてもよく、外付けの液晶モニタなどにより構成されてもよい。操作部２２０２は、タッチパネルのように、表示部と入力部が一体となったものであってもよい。また、操作部２２０２は、マウスやキーボードのように、独立したデバイスとなっているものであってもよく、管理サーバー２２０に対して入力操作を行えるものであれば、他の技術が適用可能である。
【００２６】
次に、本実施形態の放射線撮影システムの機能構成について図３を用いて説明する。なお、機能構成は説明を簡略化するため、放射線撮影装置２００と携帯情報端末２１０をペアリングする際の機能構成について記載し、放射線画像の撮影、画像データの取得、及び表示などの一般的な放射線撮影に関する機能構成については省略する。
【００２７】
図３は、本実施形態に係る機能構成例を示すブロック図である。図３に示す通り、放射線撮影装置２００は、ペアリング確立要求受信部３００、ペアリング要求受信部３０１、及び撮影装置状態通知部３０２を備える。また、携帯情報端末２１０は、撮影装置情報取得部３０３、撮影装置情報表示部３０４、撮影装置選択部３０５、ペアリング要求部３０６、及びペアリング確立要求部３０７を有する。管理サーバー２２０はペアリング要求転送部、及び撮影装置情報管理部３０８を備える。
【００２８】
撮影装置情報管理部３０８は、放射線撮影装置２００の撮影装置情報を管理する機能ブロックである。撮影装置情報管理部３０８は、放射線撮影装置２００の識別情報、センサーサイズ、通信状態、ペアリング状態、バッテリー状態、電源状態、利用者情報、稼働状態、予約情報、及び機能情報などの撮影装置情報を不揮発性記憶装置２２０５にて保存して管理する。
【００２９】
識別情報は、放射線撮影装置２００を識別する情報である。センサーサイズ情報は、放射線撮影装置２００のセンサーサイズに関する情報である。通信状態（第１の通信情報）は、放射線撮影装置２００の第１の通信方式による通信状態に関する情報である。ペアリング状態（第２の通信情報）は、放射線撮影装置２００の第２の通信方式による通信状態に関する情報である。バッテリー状態（バッテリー情報）は、放射線撮影装置２００のバッテリーに関する情報である。電源状態（電源情報）は、放射線撮影装置２００の電源状態に関する情報である。
【００３０】
利用者情報は、放射線撮影装置２００の利用者に関する情報である。稼働状態（稼働情報）は、放射線撮影装置２００の稼働状態に関する情報である。予約情報は、放射線撮影装置２００の利用予約に関する情報である。機能情報は、放射線撮影装置２００が備えている機能に関する情報である。また、撮影装置情報管理部３０８は、放射線撮影装置２００が撮影する部位に関する検査部位情報を不揮発性記憶装置２２０５にて保存して管理する。
【００３１】
管理サーバー２２０は、識別情報、センサーサイズ情報、第１の通信情報、第２の通信情報、バッテリー情報、電源情報、利用者情報、稼働情報、予約情報、機能情報、及び検査部位情報の少なくとも１つを、放射線撮影装置２００の撮影装置情報として携帯情報端末２１０に送信する。
【００３２】
これらの撮影装置情報は、放射線撮影システムの使用前に入力されるものもあれば、放射線撮影システムの使用中に、放射線撮影システムの駆動状態によって動的に変更されるものもある。
【００３３】
撮影装置情報取得部３０３は、撮影装置情報管理部３０８によって管理されている撮影装置情報を取得する機能ブロックである。管理サーバー（管理装置）２２０は、第１の通信方式により携帯情報端末２１０と通信可能な放射線撮影装置に関する情報（撮影装置情報）を、携帯情報端末２１０に送信する。撮影装置情報取得部３０３は、携帯情報端末２１０のＩＦ２１０８及び管理サーバー２２０のＩＦ２２０８の間の通信を介して、管理サーバー２２０から撮影装置情報を取得する。
【００３４】
撮影装置情報表示部３０４は、撮影装置情報取得部３０３によって取得された撮影装置情報を表示部２１０１に表示する。
【００３５】
撮影装置選択部３０５は、撮影装置情報表示部３０４によって表示された撮影装置情報のうち、撮影で利用される放射線撮影装置２００を選択する機能ブロックである。放射線撮影装置２００の選択は、タッチパネル上に表示された放射線撮影装置（センサー）のアイコンをタッチするなどの操作により実現される。このように、携帯情報端末２１０は、無線ＬＡＮ（第１の通信方式）により携帯情報端末２１０と通信可能な放射線撮影装置２００を選択する。携帯情報端末２１０は、撮影装置情報に基づいて、放射線撮影装置２００を選択する。
【００３６】
ペアリング要求部３０６は、撮影装置選択部３０５で選択された放射線撮影装置２００に対して、ペアリング要求信号（通信要求信号）を送信する機能を有する。ここで送信されたペアリング要求信号は、ＩＦ２１０８及びＩＦ２００８のインターフェイスを経由し、ペアリング要求受信部３０１へ送信される。
【００３７】
携帯情報端末２１０は、選択された放射線撮影装置２００のＩＦ（第１の通信部）２００８にペアリング要求信号（通信要求信号）を送信する。ＩＦ（第１の通信部）２００８は、Ｂｌｕｅｔｏｏｔｈなどの第２の通信方式による携帯情報端末（通信機器）２１０との通信を要求するペアリング要求信号（通信要求信号）を受信する。
【００３８】
なお、ペアリング要求部３０６は、ペアリング要求信号を放射線撮影装置２００に対して送信する前に、ペアリング要求部３０６がペアリング要求中であることを撮影装置情報管理部３０８に通知する。これにより、撮影装置情報管理部３０８は、対象の放射線撮影装置２００がペアリング待機状態であることを把握できる。この結果、利用可能な放射線撮影装置の情報（例えば、利用可能撮影装置一覧）を別の携帯情報端末から要求された場合に、ペアリング待機状態の放射線撮影装置２００の情報を返却しないことで、ペアリング要求が重複することを防止することができる。
【００３９】
ペアリング要求信号を受信した放射線撮影装置２００は、放射線撮影装置２００をペアリング待機状態に遷移させ、ペアリング要求部３０６に対してペアリング要求を受け付けたことを通知する。放射線撮影装置２００がペアリング待機状態（待機状態）となったことを携帯情報端末２１０が検知すると、ペアリング確立要求部３０７によって放射線撮影装置２００に対してペアリング確立要求信号（通信確立信号）を送信する。
【００４０】
携帯情報端末２１０は、選択された放射線撮影装置２００のＩＦ（第２の通信部）２００９に、第２の通信方式による通信を確立するペアリング確立要求信号（通信確立信号）を送信する。ＩＦ（第２の通信部）２００９は、待機状態信号を受信した携帯情報端末（通信機器）２１０から、第２の通信方式による通信を確立するペアリング確立要求信号（通信確立信号）を受信する。
【００４１】
ペアリング確立要求受信部３００は、ペアリング確立要求部３０７から送信されたペアリング確立要求信号を受信する機能ブロックである。ペアリング確立要求受信部３００及びペアリング確立要求部３０７の通信は、放射線撮影装置２００のＩＦ２１０９及び携帯情報端末２１０のＩＦ２００９の間の通信を介して行われる。
【００４２】
ＩＦ（第２の通信部）２００９は、ペアリング要求信号（通信要求信号）に従って、Ｂｌｕｅｔｏｏｔｈなどの第２の通信方式による携帯情報端末（通信機器）２１０との通信を確立する。携帯情報端末２１０は、放射線撮影装置２００にペアリング確立要求信号（通信確立信号）を送信することにより、第２の通信方式による放射線撮影装置２００との通信を確立する。最終的にこの通信が確立されるとペアリングが完了することとなる。
【００４３】
ペアリングが完了すると、放射線撮影装置は撮影装置状態通知部３０２により、放射線撮影装置２００及び携帯情報端末２１０がペアリング状態となったことを撮影装置情報管理部３０８に送信する。撮影装置情報管理部３０８は、ペアリング状態の情報を基に、撮影装置情報管理部３０８が管理する放射線撮影装置２００の状態をペアリング状態へ更新する。
【００４４】
次に、図４を用いて、放射線撮影装置と携帯情報端末をペアリングする際の動作フローについて説明する。図４は、本実施形態にかかる放射線撮影システムにおいて放射線撮影装置と携帯情報端末をペアリングする際の実行処理手順を示すフローチャートである。
【００４５】
ステップＳ４０１は、撮影装置情報の取得ステップであり、撮影装置情報取得部３０３が、撮影装置情報を管理サーバー２２０から取得する。撮影装置情報表示部３０４は、携帯情報端末２１０上のタッチパネルなどに撮影装置情報を表示する。例えば、回診撮影の撮影オーダーを受信した後、回診撮影で利用される放射線撮影装置の候補が携帯情報端末２１０の画面上に表示される。
【００４６】
なお、放射線撮影システムの利用において、この時点で、操作者は、撮影で利用する放射線撮影装置を回診車に搭載するために、放射線撮影装置の格納場所の周辺に携帯情報端末２１０を持って移動していることを想定している。
【００４７】
ステップＳ４０２は、携帯情報端末２１０上に表示された放射線撮影装置の中から撮影で利用する放射線撮影装置２００を操作者に選択させるステップであり、撮影装置選択部３０５により実施される。
【００４８】
ここで、操作者が携帯情報端末２１０のモニタ上に表示された放射線撮影装置２００のアイコンをクリックするなどして、撮影装置選択部３０５が放射線撮影装置２００を選択すると、次のステップＳ４０３へ移行する。ステップＳ４０３は、選択された放射線撮影装置に対してペアリングを要求するステップである。このステップでは、携帯情報端末２１０のペアリング要求部３０６から、選択された放射線撮影装置２００に対するペアリング要求が送信される。
【００４９】
ステップＳ４０４は、携帯情報端末２１０からのペアリング要求信号をペアリング要求受信部３０１が受信し、ペアリング待機状態となるステップである。また、放射線撮影装置２００がペアリング待機状態となったことは、逆の経路をたどり携帯情報端末２１０側に通知される。ＩＦ（第１の通信部）２００８は、ペアリング要求信号（通信要求信号）を受信した後、Ｂｌｕｅｔｏｏｔｈなどの第２の通信方式による携帯情報端末（通信機器）２１０との通信の待機状態であることを示す待機状態信号を、携帯情報端末２１０に送信する。
【００５０】
ステップＳ４０５は、携帯情報端末２１０から放射線撮影装置２００に対してペアリングを確立するよう要求するステップである。携帯情報端末２１０は、ステップＳ４０４において、放射線撮影装置２００がペアリング待機状態となったことを検知すると、ペアリング確立要求部３０７が放射線撮影装置２００に対してペアリング確立要求信号（通信確立信号）を送信する。ＩＦ（第２の通信部）２００９は、待機状態信号を受信した携帯情報端末（通信機器）２１０から、第２の通信方式による通信を確立する通信確立信号を受信することにより、第２の通信方式による携帯情報端末２１０との通信を確立する。
【００５１】
ステップＳ４０６は、放射線撮影装置２００がペアリング確立要求受信部３００にて携帯情報端末２１０からペアリング確立要求信号を受信し、ペアリングを確立するステップである。
【００５２】
以上の操作により、携帯情報端末２１０と放射線撮影装置２００の通信接続が確立し、両者の間で撮影に関する様々な制御を行うことが可能となる。なお、複数の放射線撮影装置が同じ場所に格納されている施設においては、どの放射線撮影装置がペアリングされたかを認識するために、ペアリングが確立した放射線撮影装置を容易に識別できるようになっていることが望ましい。
【００５３】
例えば、放射線撮影装置のインジケータが点滅したり、インジケータが特定の色に点灯したりすることにより、ペアリングが確立していることを示してもよいし、ペアリングが確立された放射線撮影装置が効果音を発するなどしてもよい。また、携帯情報端末２１０側のＧＵＩ操作により、ペアリング対象の放射線撮影装置２００のインジケータを点灯指示できるような構成でもよく、携帯情報端末２１０とペアリングされていることを容易に認識できればよい。
【００５４】
次に、図５を用いて、放射線撮影システムの携帯情報端末２１０と放射線撮影装置２００とをペアリングする際の携帯情報端末２１０のＧＵＩの例を示す。図５（ａ）の画面５００は、携帯情報端末２１０に表示されるＧＵＩの一例を示しており、回診撮影に先だって、実施する撮影の検査オーダーを決定した直後の画面を表している。
【００５５】
表示部５０１は、ＲＩＳから受信した検査オーダー（検査情報）を表示する検査情報表示部であり、検査オーダーの受付番号、患者ＩＤ、患者名、及び撮影内容（検査部位）などが表示される。例えば、受付番号：９９９９９、患者ＩＤ：１２３４５、患者名：Ｊｏｈｎ  Ｄｏｅ、及び検査部位：胸部立位正側の検査を行うことを示している。
【００５６】
本実施形態においては、これら４項目の表示例を示しているが、患者情報である生年月日や性別及び撮影手技の詳細などが表示されてもよい。表示部５０２は、放射線撮影装置一覧表示部であり、撮影装置情報表示部３０４によって撮影装置情報が一覧で表示される。この一覧情報は管理サーバー２２０の撮影装置情報管理部３０８から取得されたものであり、図５においては、３つの撮影装置が一覧情報として表示されている。
【００５７】
表示部５０３は、撮影装置アイコン表示部であり、放射線撮影装置（センサー）の外形や状態などをアイコンで表示する部分である。また、表示部５０３は、撮影装置選択を受け付けるための入力用のＧＵＩとしての機能も有する。
【００５８】
表示部５０４は、撮影装置情報表示部であり、放射線撮影装置（センサー）の名称がＣ０１として表示され、放射線撮影装置のセンサーサイズが１４インチ×１７インチとして表示され、放射線撮影装置が利用可能な状態であることが表示される。ここで、放射線撮影装置のアイコンをタップするなどし、放射線撮影装置とのペアリング要求を指示すると、ステップＳ４０３の処理が行われ、放射線撮影装置に対してペアリング要求が送信される。
【００５９】
図５（ｂ）は、ペアリング要求中の画面５００の状態を示している。放射線撮影装置２００がペアリング要求受付状態（待機状態）になると、携帯情報端末２１０は、ペアリング確立要求部３０７によりペアリングを確立するための処理を行う。ＩＦ（第１の通信部）２００８は、ペアリング要求信号（通信要求信号）を受信した後、待機状態信号を携帯情報端末２１０に送信する。
【００６０】
表示部５０３は、携帯情報端末２１０と放射線撮影装置２００がペアリング確立中であることを示すアイコンを表示する。表示部５０４は、携帯情報端末２１０と放射線撮影装置２００がペアリング確立中であることを示すメッセージを表示する。
【００６１】
なお、ペアリングを確立する段階で、携帯情報端末２１０と放射線撮影装置２００が相互の通信要求を受信可能な状態になければ、ペアリングすることができない。この場合、表示部５０３及び表示部５０４は、携帯情報端末２１０と放射線撮影装置２００がペアリングできないことを示すアイコンやメッセージを表示する。
【００６２】
図５（ｃ）は、携帯情報端末２１０と放射線撮影装置２００のペアリングが確立し、携帯情報端末２１０と放射線撮影装置２００が直接通信できるようになった状態を示している。表示部５０３は、携帯情報端末２１０と放射線撮影装置２００のペアリングが確立したことを示すアイコンを表示する。表示部５０４は、携帯情報端末２１０と放射線撮影装置２００のペアリングが確立したことを示すメッセージを表示する。
【００６３】
従来のペアリングでは、放射線撮影装置側でペアリングするための操作が必要となっていたが、本放射線撮影システムでは、携帯情報端末に表示された放射線撮影装置を選択すれば、容易に携帯情報端末と放射線撮影装置をペアリングすることが可能となる。この結果、放射線撮影装置の操作性が向上する。また、複数の放射線撮影装置が格納されている場合、携帯情報端末に利用可能な放射線撮影装置の候補を表示することにより、適切な放射線撮影装置を短時間で決めることができ、より効率的に撮影業務を運用することができる。
【００６４】
（第２の実施形態）
第１の実施形態においては、放射線撮影装置２００と携帯情報端末２１０との間でペアリングする際に、放射線撮影装置２００がペアリング要求を受信できる状態であった。ただし、可搬型の放射線撮影装置２００の電源がオフになっているため、ペアリング要求を受信できない場合がある。そこで、本実施形態では、放射線撮影装置２００の電源が投入されていない場合を想定して説明する。
【００６５】
なお、上記の実施形態と同様の構成、機能、及び動作についての説明は省略し、主に本実施形態との差異について説明する。本実施形態では、管理サーバー２２０が、放射線撮影装置２００が遠隔電源投入機能を備えているか否か又は放射線撮影装置２００の電源が投入されているか否かを管理しているものとする。
【００６６】
図６は、本実施形態にかかる放射線撮影システムにおいて放射線撮影装置と携帯情報端末をペアリングする際の実行処理手順を示すフローチャートである。
【００６７】
ステップＳ６０１は、撮影装置情報の取得ステップであり、撮影装置情報取得部３０３が、撮影装置情報を管理サーバー２２０から取得する。撮影装置情報表示部３０４は、携帯情報端末２１０上のタッチパネルなどに撮影装置情報を表示する。例えば、回診撮影の撮影オーダーを受信した後、回診撮影で利用される放射線撮影装置の候補が携帯情報端末２１０の画面上に表示される。
【００６８】
ステップＳ６０２は、携帯情報端末２１０上に表示された放射線撮影装置の中から撮影で利用する放射線撮影装置２００を操作者に選択させるステップであり、撮影装置選択部３０５により実施される。
【００６９】
ここで、操作者が携帯情報端末２１０のモニタ上に表示された放射線撮影装置２００のアイコンをクリックするなどして、放射線撮影装置２００を選択すると、次のステップＳ６０３へ移行する。ステップＳ６０３は、ステップＳ６０２で選択された放射線撮影装置２００の電源が投入されているか否か又はネットワーク接続可能であるか否かにより、放射線撮影装置２００がオンラインであるか否か（オンライン情報）を判別するステップである。
【００７０】
この放射線撮影装置２００のオンライン情報は、管理サーバー２２０上で管理されているため、ステップＳ６０１の撮影装置情報の取得ステップにおいて取得した撮影装置情報に含まれてもよい。また、携帯情報端末２１０が管理サーバー２２０へ問い合わせることにより、携帯情報端末２１０はオンライン情報を確認することが可能である。
【００７１】
放射線撮影装置２００の電源が投入されていないためオフラインであると判断された場合は、ステップＳ６０４へ移行し、放射線撮影装置２００の電源が投入され通信可能であるためオンラインと判断された場合は、ステップＳ６０７移行する。ステップＳ６０４は、対象の放射線撮影装置２００が遠隔電源投入機能を備えているか否か（遠隔操作情報）を確認するステップである。
【００７２】
この遠隔操作情報も管理サーバー２２０にて管理されている撮影装置情報であるため、ステップＳ６０１の撮影装置情報の取得ステップにおいて取得した撮影装置情報に含まれてもよい。また、携帯情報端末２１０が管理サーバー２２０へ問い合わせることにより、携帯情報端末２１０は遠隔操作情報を確認することが可能である。
【００７３】
ステップＳ６０４において、対象の放射線撮影装置２００が遠隔電源投入機能を備えていると判断された場合は、ステップＳ６０５へ移行し、放射線撮影装置２００が遠隔電源投入機能を備えていないと判断された場合は、ステップＳ６０６へ遷移する。
【００７４】
ステップＳ６０５は、ステップＳ６０２において選択された放射線撮影装置２００に対して電源投入を要求するステップである。携帯情報端末２１０は、電源情報に基づいて、電源が投入されていない放射線撮影装置２００に、電源を投入するための電源投入信号（電源投入要求）を送信する。
【００７５】
この処理は、携帯情報端末２１０から放射線撮影装置２００に電源投入信号を直接送信してもよいし、携帯情報端末２１０から管理サーバー２２０を経由して放射線撮影装置２００に電源投入信号を送信してもよい。電源投入要求が放射線撮影装置２００に対して行われれば、携帯情報端末２１０及び管理サーバー２２０の何れが電源投入信号を送信してもよい。
【００７６】
遠隔電源投入の仕組みとしては、例えば、Ｗａｋｅ  Ｏｎ  Ｗｉｒｅｌｅｓｓ  ＬＡＮ（ＷｏＷＬＡＮ）などのように、無線ＬＡＮ経由で遠隔電源投入を実現するような仕組みを活用することが考えられる。
【００７７】
ステップＳ６０４において放射線撮影装置２００が遠隔電源投入機能を備えていないと判断された場合は、ステップＳ６０６において手動で放射線撮影装置２００の電源を投入するように促すメッセージを携帯情報端末２１０に表示する。ステップＳ６０７〜ステップＳ６１０は、上記のステップＳ４０３〜ステップＳ４０６に相当する処理であるため、説明を省略する。
【００７８】
図７は、放射線撮影装置２００の電源が入っていない場合に、放射線撮影装置２００を遠隔で電源投入する際の携帯情報端末２１０のＧＵＩの例を示す。図７（ａ）の表示部７０１は、撮影装置アイコン表示部であり、放射線撮影装置の外形や状態などをアイコンで表示する部分である。また、表示部７０１は、撮影装置選択を受け付けるための入力用のＧＵＩとしての機能も有する。
【００７９】
表示部７０２は、撮影装置情報表示部であり、放射線撮影装置（センサー）の名称がＣ０２として表示され、放射線撮影装置のセンサーサイズが１４インチ×１７インチとして表示され、放射線撮影装置がオフラインであることが表示される。
【００８０】
ここで、放射線撮影装置のアイコンをタップするなどし、放射線撮影装置とのペアリング要求を指示すると、ステップＳ６０３〜ステップＳ６０５の一連の処理が行われ、放射線撮影装置に対して電源投入が要求される。図７（ｂ）は、ステップＳ６０５において携帯情報端末２１０から放射線撮影装置２００に対して電源投入を要求している状態を表している。表示部７０１は、放射線撮影装置２００が電源投入中であることを示すアイコンを表示する。表示部７０２は、放射線撮影装置２００が電源投入中であることを示すメッセージを表示する。
【００８１】
電源投入要求を受信した放射線撮影装置２００が電源投入されると、ステップＳ６０7〜ステップＳ６１０の処理が行われ、携帯情報端末２１０と放射線撮影装置２００がペアリングされ、図７（ｃ）の画面となる。表示部７０１は、携帯情報端末２１０と放射線撮影装置２００のペアリングが確立したことを示すアイコンを表示する。表示部７０２は、携帯情報端末２１０と放射線撮影装置２００のペアリングが確立したことを示すメッセージを表示する。
【００８２】
図８は、ステップＳ６０４において選択された放射線撮影装置２００が遠隔電源投入機能を備えていない場合に、ステップＳ６０６で表示される画面の一例を示したものである。図８（ａ）の表示部８０１は、撮影装置アイコン表示部であり、放射線撮影装置の外形や状態などをアイコンで表示する部分である。また、表示部８０１は、撮影装置選択を受け付けるための入力用のＧＵＩとしての機能も有する。
【００８３】
表示部８０２は、撮影装置情報表示部であり、放射線撮影装置（センサー）の名称がＣ０３として表示され、放射線撮影装置のセンサーサイズが１４インチ×１７インチとして表示され、放射線撮影装置がオフラインであることが表示される。
【００８４】
ここで、放射線撮影装置のアイコンをタップするなどし、放射線撮影装置とのペアリング要求を指示すると、ステップＳ６０３、ステップＳ６０４、及びステップＳ６０６の順に処理が行われ、図８（ｂ）のような画面が携帯情報端末２１０に表示される。携帯情報端末２１０は、機能情報に基づいて、遠隔電源投入機能を備えていない放射線撮影装置２００を選択する場合に、電源の投入を指示する通知を表示する。
【００８５】
表示部８０３は、メッセージ表示部である。この場合、放射線撮影装置２００が遠隔電源投入機能を備えていないため、手動で電源を投入するように促すメッセージが表示される。操作者は、このメッセージを見て、対象の放射線撮影装置２００の電源ボタンを手動で押すことで電源を投入する。
【００８６】
表示部８０４は、ＯＫボタンであり、このボタンがタップされることにより、ステップＳ６０７のペアリング要求送信ステップへ遷移する。ステップＳ６０7〜ステップＳ６１０の処理が順次行われ、ペアリングが完了すると、図８（ｃ）のような画面が表示される。表示部８０１は、携帯情報端末２１０と放射線撮影装置２００のペアリングが確立したことを示すアイコンを表示する。表示部８０２は、携帯情報端末２１０と放射線撮影装置２００のペアリングが確立したことを示すメッセージを表示する。
【００８７】
表示部８０５は、キャンセルボタンであり、このボタンがタップされることにより、ステップＳ６０７のペアリング要求送信ステップへ遷移せずに、表示部８０３が閉じられて図８（ａ）の状態に戻る。
【００８８】
以上のように、放射線撮影装置２００の電源が入っておらずオフライン状態であっても、遠隔電源投入機能を備えている放射線撮影装置であれば、携帯情報端末２１０から遠隔電源投入することが可能である。
【００８９】
また、遠隔電源投入機能を備えていない放射線撮影装置と備えている放射線撮影装置が混在して格納されている場合も、遠隔操作情報を管理サーバー２２０が管理することで、電源投入のガイドを携帯情報端末２１０に表示可能である。この結果、所望の放射線撮影装置とペアリングする際の放射線撮影装置の電源投入を用意に確認及び実行することができるため、特に、複数の放射線撮影装置を用いて回診撮影を行う施設において、より効率的に撮影業務を行うことが可能となる。
【００９０】
（第３の実施形態）
第３の実施形態では、携帯情報端末２１０が、管理サーバー２２０から撮影装置情報を取得し、撮影装置情報表示部３０４が、実施する検査内容に適した放射線撮影装置の候補を表示する方法について説明する。
【００９１】
携帯情報端末２１０は、放射線撮影装置による検査オーダーを識別する検査オーダー情報、被検者を識別する被検者情報、撮影手技を識別する撮影手技情報、撮影部位を識別する撮影部位情報、撮影方向を識別する撮影方向情報、及び被検者の姿勢を識別する姿勢情報の少なくとも１つを、検査情報として選択する。そして、携帯情報端末２１０は、検査情報に関連付けられた特定情報に基づいて、特定情報と一致する放射線撮影装置の撮影装置情報を管理サーバー２２０から受信する。
【００９２】
図５（ａ）は、検査内容として胸部立位正側の撮影が依頼されていることを示している。胸部撮影の場合、肺野領域が収まるように、半切サイズ（１４インチｘ１７インチ）のセンサーサイズの放射線撮影装置が通常利用される。したがって、管理サーバー２２０には、他のセンサーサイズの放射線撮影装置が登録されていても、本実施形態では検査内容に適したセンサーサイズの放射線撮影装置が選択されて表示される。
【００９３】
本実施形態の処理を実現するために、放射線撮影システムの管理サーバー２２０は、図９（ａ）に示すように、撮影プロトコルとセンサーサイズとを対応付けた対応テーブルを管理する。携帯情報端末２１０が、撮影される検査部位情報（撮影部位情報）をＲＩＳなどから取得する。携帯情報端末２１０は、検査部位情報（撮影部位情報）である「胸部正側」を検査情報として選択し、管理サーバー２２０に送信する。
【００９４】
管理サーバー２２０は、内部で保持している対応テーブルから「胸部正側」に適したセンサーサイズを特定する。図９（ａ）の例では、検査情報である「胸部正側」に関連付けられたセンサーサイズ「１４Ｘ１７」が特定情報として特定される。
【００９５】
センサーサイズが特定されると、管理サーバー２２０は、管理サーバー２２０が管理する撮影装置情報（図９（ｂ））のうち、該当するセンサーサイズ「１４Ｘ１７」の放射線撮影装置を検索する。図９（ｂ）では、この条件に合致する放射線撮影装置（名称Ｃ０１，Ｃ０２，Ｃ０３，Ｃ０６が、利用可能な放射線撮影装置（表示候補）として抽出され、抽出された放射線撮影装置の撮影装置情報が携帯情報端末２１０に送信される。
【００９６】
また、図９（ｂ）に示すように、放射線撮影装置がどの携帯情報端末とペアリングされているかを示すペアリング情報が管理されることにより、既にペアリング済みの放射線撮影装置を特定し、撮影装置情報表示部３０４の表示候補から除外することが可能となる。
【００９７】
図９（ｂ）では、名称Ｃ０６の放射線撮影装置が既にＴａｂｌｅｔ２とペアリング済みであるため、利用可能な放射線撮影装置の候補として、名称Ｃ０１，Ｃ０２，Ｃ０３の放射線撮影装置の撮影装置情報が携帯情報端末２１０に送信される。このように、管理サーバー２２０は、撮影装置情報を特定する特定情報と一致する放射線撮影装置の撮影装置情報を携帯情報端末２１０に送信する。そして、図５（ａ）のように、携帯情報端末２１０が、検査に適した放射線撮影装置の候補を表示する。
【００９８】
本実施形態では、管理サーバー２２０が、放射線撮影装置の名称、検査部位、センサーサイズ、及びペアリング状態などの撮影装置情報を管理し、撮影装置情報を特定する特定情報に基づいて、携帯情報端末２１０が放射線撮影装置の候補を表示する例を示した。
【００９９】
ただし、管理サーバー２２０が、この他の撮影装置情報を管理し、これらの撮影装置情報を特定する特定情報に基づいて、携帯情報端末２１０が放射線撮影装置の候補を表示してもよい。他の撮影装置情報としては、放射線撮影装置の遠隔操作情報（機能情報）、識別情報、通信状態、バッテリー状態、電源状態、利用者情報、稼働状態、及び予約情報などがある。
【０１００】
このように、管理サーバー２２０が、放射線撮影装置に関する撮影装置情報を管理し、撮影装置情報に基づいて、携帯情報端末２１０が放射線撮影装置の候補を表示してもよい。例えば、管理サーバー２２０が、放射線撮影装置のバッテリー状態を管理しておくことによって、携帯情報端末２１０が、所定のバッテリー残量以上の放射線撮影装置を表示してもよい。
【０１０１】
（第４の実施形態）
第１の実施形態においては、放射線撮影装置が無線ＬＡＮ及びＢｌｕｅｔｏｏｔｈのように２つの通信方式を利用する例について述べたが、本発明は、１つの通信方式（例えば、無線ＬＡＮ）を利用する場合にも適用可能である。例えば、放射線撮影装置が無線ＬＡＮのインターフェイスのみを使って携帯情報端末と通信する場合、院内ネットワークを利用して無線ＬＡＮ通信を行うため、ネットワーク構成によっては十分なスループットが期待できない可能性がある。したがって、放射線撮影装置と携帯情報端末が直接通信できる方が望ましい。
【０１０２】
しかしながら、携帯情報端末は一般的に無線ＬＡＮ（第１の通信方式）のインターフェイスを複数備えていないため、携帯情報端末が放射線撮影装置２００と直接通信しながら、管理サーバーと院内ネットワーク経由で通信するということは困難である。
【０１０３】
本実施形態では、１つの通信インターフェイスを備える放射線撮影装置であっても、撮影スループットを落とさずに携帯情報端末とペアリング（直接通信）する方法について説明する。
【０１０４】
図１０は、本実施形態のハードウェア構成の簡略図である。図１０は、図２で示したハードウェア構成図のうち、差異のある通信インターフェイス部分を強調して図式化したものであり、通信インターフェイス部分以外の構成は図２と同一である。図１０（ａ）は、携帯情報端末と放射線撮影装置がペアリングする前の通信状態を模式的に示しており、図１０（ｂ）は、携帯情報端末と放射線撮影値がペアリングされた通信状態を模式的に示している。
【０１０５】
図１０（ａ）の放射線撮影装置１０００は上記の放射線撮影装置２００に相当し、携帯情報端末１０１０は上記の携帯情報端末２１０に相当し、管理サーバー１０２０は上記の管理サーバー２２０に相当する。放射線撮影装置１０００は、ＩＦ１０００１及びアクセスポイント（ＡＰ）１０００２を備える。
【０１０６】
ＩＦ１０００１は、携帯情報端末１０１０及び管理サーバー１０２０と通信するためのインターフェイスであり、一般的にはイーサネットや無線ＬＡＮなどに利用される通信インターフェイスで実現される。ＩＦ（通信部）１０００１は、第１の通信方式の第１のアクセスポイント１０３０を介して携帯情報端末（通信機器）１０１０と通信可能である。
【０１０７】
放射線撮影装置１０００は、アクセスポイント（ＡＰ）１０００２を内部に備え、放射線撮影装置１０００がアクセスポイントとして動作可能である。放射線撮影装置１０００は、第１の通信方式の第２のアクセスポイント１０００２を備える点が、図２の放射線撮影装置２００と異なる点である。
【０１０８】
また、携帯情報端末１０１０は、ＩＦ１０１０１を備え、管理サーバー１０２０は、ＩＦ１０２０１を備える。
【０１０９】
図１０（ａ）に示すように、放射線撮影装置１０００と携帯情報端末１０１０のペアリング前は、それぞれのＩＦ１０００１，１０１０１がＡＰ１０３０を経由して通信可能に接続されている。このとき、放射線撮影装置１０００は、ＡＰ１０３０に電気的に接続される子機として動作する。
【０１１０】
次に、放射線撮影装置１０００と携帯情報端末１０１０のペアリング後の構成について説明する。図１０（ｂ）に示すように、放射線撮影装置１０００と携帯情報端末１０１０のペアリング後は、放射線撮影装置１０００が放射線撮影装置１０００のＡＰ１０００２を有効にし、放射線撮影装置１０００がアクセスポイントとして動作する。
【０１１１】
そして、携帯情報端末１０１０は、通信先をＡＰ１０３０からＡＰ１０００２へと切り替えることにより、携帯情報端末１０１０のＩＦ１０１０１を放射線撮影装置１０００との通信インターフェイスとして利用し、放射線撮影装置１０００と直接通信する。このとき、携帯情報端末１０１０と管理サーバー１０２０は、実質的に接続が切断されている状態であり、携帯情報端末１０１０と管理サーバー１０２０の間での通信は行われない。
【０１１２】
次に、図１１を用いて、放射線撮影装置１０００のＡＰ１０００２を利用して放射線撮影装置１０００と携帯情報端末１０１０が通信する手順を説明する。図１１は、図１０に示すように、１つの通信ＩＦを備える放射線撮影装置１０００と携帯情報端末１０１０とがペアリングする際のフローを示したものである。
【０１１３】
ステップＳ１１０１及びステップＳ１１０２は、第１の実施形態のステップＳ４０１及びステップＳ４０２と同様の処理のため説明を省略する。ステップＳ１１０３は、ステップＳ１１０２で選択された放射線撮影装置１０００に対してアクセスポイント（ＡＰ）１０００２を有効にして、ＡＰ１０００２の親機モードで放射線撮影装置１０００を駆動するように要求するステップである。
【０１１４】
携帯情報端末２１０は、第１のアクセスポイント１０３０から第２のアクセスポイント１０００２に切り替える通信モード変更要求（切替信号）を放射線撮影装置２００に送信する。ＩＦ（通信部）１０００１は、第１のアクセスポイント１０３０から第２のアクセスポイント１０００２に切り替える通信モード変更要求（切替信号）を受信する。放射線撮影装置１０００は、通信モード変更要求（切替信号）を受信すると、放射線撮影装置１０００のＡＰ１０００２を親機として駆動する。
【０１１５】
ステップＳ１１０４は、携帯情報端末１０１０が院内のアクセスポイント（ＡＰ１０３０）から放射線撮影装置１０００の第２のアクセスポイント（ＡＰ１０００２）に通信を切り替えるステップである。ステップＳ１１０５は、携帯情報端末１０１０から放射線撮影装置１０００に対して接続確立を要求する処理であり、例えば、無線ＬＡＮ通信におけるアソシエーション要求が相当する。ステップＳ１１０６は、携帯情報端末１０１０からのアソシエーション要求に対してアソシエーションを許可して通信を確立するステップである。
【０１１６】
このように、ＩＦ（通信部）１０００１は、第１のアクセスポイント１０３０から第２のアクセスポイント１０００２に切り替える通信モード変更要求（切替信号）を受信する。その後、ＩＦ（通信部）１０００１は、第２のアクセスポイント１０００２を介して携帯情報端末（通信機器）１０１０との通信を確立する。
【０１１７】
放射線撮影装置１０００は、第１のアクセスポイント１０３０から第２のアクセスポイント１０００２に切り替えたことを示す切替完了信号を携帯情報端末１０１０に送信し、携帯情報端末１０１０は、切替完了信号を放射線撮影装置１０００から受信してもよい。
【０１１８】
携帯情報端末１０１０と放射線撮影装置１０００が直接通信できるように構成された後は、携帯情報端末１０１０から放射線撮影装置１０００に対する撮影制御を実施することが可能となる。
【０１１９】
本実施形態の場合、ＡＰ１０３０からＡＰ１０００２に通信が切り替えられることで、放射線撮影装置１０００で撮影された画像データは、放射線撮影装置１０００から管理サーバー１０２０へ転送することができなくなる。そこで、放射線撮影装置１０００は、記憶媒体などに画像データを蓄積し、放射線撮影装置１０００が管理サーバー１０２０と通信可能になった段階で、放射線撮影装置１０００が画像データを管理サーバー１０２０へ送信するように制御される。
【０１２０】
次に、放射線画像の撮影後に、放射線撮影装置１０００と携帯情報端末１０１０のペアリングを解除し、図１０（ａ）の状態に戻す処理について説明する。放射線撮影システムにおいて、放射線画像（画像データ）の一連の撮影を行った後、図１０（ｂ）の通信状態であると、ペアリングされた放射線撮影装置１０００に対して他の携帯情報端末がペアリングすることができない。
【０１２１】
そこで、所定のタイミングで放射線撮影装置１０００のＡＰ１０００２の親機モードを解除し、放射線撮影装置１０００が再び院内のアクセスポイントＡＰ１０３０の子機として接続するように切り替える。携帯情報端末１０１０は、第１のアクセスポイント１０３０の接続情報を保持し、第２のアクセスポイント１０００２から第１のアクセスポイント１０３０に切り替える切替信号を放射線撮影装置１０００に送信する。その後、携帯情報端末１０１０は、接続情報に基づいて、第１のアクセスポイント１０３０を介して放射線撮影装置１０００との通信を確立する。
【０１２２】
そして、ＩＦ（通信部）１０００１は、第２のアクセスポイント１０００２から切り替えられた第１のアクセスポイント１０３０を介して、画像データを送信する。
【０１２３】
親機モードを解除するために、携帯情報端末１０１０が放射線撮影装置１０００に通信モードの変更を要求する（切替信号を送信する）タイミングとしては、例えば、放射線画像の検査終了時などが考えられる。また、携帯情報端末１０１０の画面上に通信モードを切り替えるためのボタン（不図示）を設け、任意のタイミングでアクセスポイントを切り替えられるようにしても構わない。
【０１２４】
また、放射線撮影装置１０００と携帯情報端末１０１０が通信していない時間が所定の時間を経過すると、放射線撮影装置１０００が自動的に親機モードを解除して、アクセスポイントを切り替えてもよい。
【０１２５】
以上のように、放射線撮影装置１０００が複数の通信ＩＦを備えていない場合であっても、放射線撮影装置１０００と携帯情報端末１０１０のペアリングが可能である。放射線撮影装置１０００が備えるアクセスポイント（ＡＰ）１０００２を有効にし、ＡＰ１０００２を利用して放射線撮影装置１０００と携帯情報端末１０１０を通信可能に接続することによって、両者をペアリングすることが可能となる。
【０１２６】
また、複数の通信インターフェイスを備える放射線撮影装置と１つの通信インターフェイスを備える放射線撮影装置が混在している状態で、携帯情報端末と直接通信可能に接続される場合であっても、本発明は適用可能である。複数の放射線撮影装置の情報は管理サーバーで管理されているため、通信インターフェイスの数に応じて、それぞれの放射線撮影装置に適した処理手順を実行することによって適切にペアリングすることが可能となる。
【０１２７】
以上、本発明に係る実施形態について説明したが、本発明はこれらに限定されるものではなく、請求項に記載された範囲内において変更・変形することが可能である。
【０１２８】
本発明は、上記の実施形態の機能を実現するソフトウェア（プログラム）をネットワーク又は各種記憶媒体を介してシステム又は装置に供給し、システム又は装置のコンピュータ（ＣＰＵやＭＰＵなど）がプログラムを読み出すことにより実行されてもよい。また、本発明は、システム又は装置のコンピュータにおける１つ以上のプロセッサーがプログラムを読出し実行する処理でも実現可能であり、１以上の機能を実現する回路（例えば、ＡＳＩＣ）によっても実現可能である。
【符号の説明】
【０１２９】
２００，１０００  放射線撮影装置
２１０，１０１０  携帯情報端末
２２０，１０２０  管理サーバー
３００  ペアリング確立要求受信部
３０１  ペアリング要求受信部
３０２  撮影装置状態通知部
３０３  撮影装置情報取得部
３０４  撮影装置情報表示部
３０５  撮影装置選択部
３０６  ペアリング要求部
３０７  ペアリング確立要求部
３０８  撮影装置情報管理部
１０３０  第１のアクセスポイント
２００８  第１の通信部
２００９  第２の通信部
１０００１  通信部
１０００２  第２のアクセスポイント
【図１】
2018064650.tif 000003
【図２】
2018064650.tif 000004
【図３】
2018064650.tif 000005
【図４】
2018064650.tif 000006
【図５】
2018064650.tif 000007
【図６】
2018064650.tif 000008
【図７】
2018064650.tif 000009
【図８】
2018064650.tif 000010
【図９】
2018064650.tif 000011
【図１０】
2018064650.tif 000012
【図１１】
2018064650.tif 000013